(57)【要約】 【課題】  油圧などを利用することなく、電線との係合位置を変位可能にして、高所の電線に容易に係合させて湾曲などさせることのできる軽量で安価な電線ベンダー装置を提供する。【解決手段】  雄ネジ１２ａを形成された長尺部１２、この長尺部の上端に同軸回転自在に連結されて一対のピン１６が立設された短尺部１３、および、長尺部の下端に固設されて長尺な絶縁操作棒３０を取り付けるジョイント１４を備える第１支持部材１１と、長尺部の雄ネジに螺合する雌ネジ２２ａを頂部２２に形成されるとともに一対のピン１６を上辺部２３の左右側に立設可能な逆三角形の第２支持部材２１と、により電線ベンダー装置１０を構成する。この電線ベンダー装置は、第１、第２支持部材のピンの間に電線を引っ掛けて絶縁操作棒を回転させることにより、その第１、第２支持部材を上下動させて電線を湾曲させる。【選択図】      図１
2006129610.tif 000002
【特許請求の範囲】
【請求項１】
長尺な操作棒の先端に取り付ける取付部と、
該取付部に取り付けた操作棒を延長した位置に設けられるとともに、該操作棒の延長線に対して直交する方向に突出して電線の上周面または下周面の一方に係合する内係合部と、
取付部に取り付けた操作棒の延長線から左右に離隔する位置に設けられるとともに、内係合部と同一方向に突出して電線の上周面または下周面の他方に係合する一対の外係合部と、
内係合部または外係合部の一方と取付部の位置関係を固定するように支持する第１支持部材と、
内係合部または外係合部の他方の位置関係を固定するように支持する第２支持部材と、
第１支持部材および第２支持部材を連結するとともに、取付部に取り付けた操作棒の回転により内係合部または外係合部の一方を他方に対して相対的に上下動させる螺合機構と、
を備えることを特徴とする電線ベンダー装置。
【請求項２】
前記第１支持部材は、上側に配置された内係合部と下側に配置された取付部とを連結するとともに、該内係合部と取付部の間の円柱形状に形成された外周面に螺合機構を構成する雄ネジが刻設される一方、
前記第２支持部材は、一対の外係合部を離隔位置に位置決めしつつ連結するとともに、該外係合部の離隔方向と直交する方向に連続するように穿孔された貫通孔の内周面に螺合機構を構成する雌ネジが刻設されることを特徴とする請求項１に記載の電線ベンダー装置。
【請求項３】
前記第１支持部材の取付部は、操作棒が相対回転不能に取り付けられる一方、内係合部を支持する支持部は、雄ネジが刻設されているネジ部に対して同軸に相対回転可能に連結支持されていることを特徴とする請求項２に記載の電線ベンダー装置。
【請求項４】
前記第２支持部材は、一対の外係合部の取付位置を変更可能に構成されていることを特徴とする請求項２または３に記載の電線ベンダー装置。
【請求項５】
前記内係合部または外係合部の一方あるいは双方は、電線を内装可能な間隔で上下に離隔する一対の突出部材により構成されていることを特徴とする請求項１から４のいずれかに記載の電線ベンダー装置。
【請求項６】
前記内係合部または外係合部の一方あるいは双方は、先端が係合する電線側に突出する形状に作製されていることを特徴とする請求項１から５のいずれかに記載の電線ベンダー装置。
【請求項７】
前記内係合部は、係合する電線の延在方向に延長されて該電線の外周方向に湾曲する板状材料により作製されていることを特徴とする請求項１から６のいずれかに記載の電線ベンダー装置。
【発明の詳細な説明】
【技術分野】
【０００１】
本発明は、電線ベンダー装置に関し、詳しくは、電柱などの高所に架設する電線を容易に湾曲等させることのできるものに関する。
【背景技術】
【０００２】
従来より、商用電源から電力供給する送電線は、例えば、図６に示すように、電柱１００に設置した機器１０１から引き出されている接続電線（割込み縁線）１０２にスリーブカバー１０３内で接続するために、その送電線Ｄ自体を保持カバー１０４内に収まる湾曲率で屈曲させることが行われている。また、図７に示すように、電柱１００に電線Ｄを引き留めるために、その電柱１００の腕金１１０に設置されている碍子１１１に電線Ｄを湾曲させて接続したり、図８に示すように、その電線Ｄを複数方向に分岐させるために、ホルダ１１２を介して碍子１１１が保持する電線Ｄをカバー１１４内で分岐させた後に湾曲させたり、図９に示すように、電線Ｄの進路方向を変えるために、異なる腕金１１０に設置されている碍子１１１に電線Ｄを湾曲させて接続することも行われている。なお、図７〜図９中の１２０は、図１０に示すように、腕金１１０に電線Ｄが接近しないようにその電線Ｄを支持するピン碍子である。
【０００３】
このような電線Ｄには、図８〜図１１中に矢印Ｅで図示する箇所のように、所謂、「縁線」と称される張力の加わらない部位が生ずる。この部分については張力が加わっていないため自由な形状に施設することが出来るのであるが、充電しているため、電線相互や腕金、支持物との間は、必要な離隔距離をとって設置されている。また、新設時において適正な離隔距離をとって設置していても、長期にわたって風などにさらされていると、電線が移動し、他の電線や腕金等に接触しそうになることがある。このような場合は、工事を行い元の状態へ戻すことが行われている。
【０００４】
したがって、このような電線（縁線）は、電線相互や腕金、支持物との間に適正な離隔距離がとられるよう癖付けする必要があるのであるが、近年、電気の使用量増に伴い、電線が太線化し、手作業では簡単に曲げることはできなくなってきた。また、充電した電線の癖付け作業を手作業で行うこと自体危険を伴うため、遠隔操作できる安全な工具が望まれていた。このため、各種の電線ベンダー装置が提案されている（例えば、特許文献１、２参照）。
【特許文献１】登録実用新案第３０２４０４６号公報
【特許文献２】特開平１０−１７４２３６号公報
【発明の開示】
【発明が解決しようとする課題】
【０００５】
しかるに、この癖付けする必要のある電線は、状況に応じて他の電線や腕金などとの位置関係を見ながら作業する必要がある。電線ベンダー装置は、上記文献に記載のものにあっては、電線を３点支持して緩やかに湾曲させたり、強く湾曲させて屈曲させることができ、作業現場で修正しながら湾曲などさせるように使用することができる。
【０００６】
しかしながら、この文献に記載の電線ベンダー装置は、電線を湾曲・屈曲させる部分を油圧シリンダーにより動作させていることから、油圧ホースをぶら下げなければならず、かなりの重量になってしまう。すなわち、このような電線ベンダー装置を電線の設置場所である電柱などの高所で使用するには、高所作業用のバケットなどに乗って作業するのが現実的である。しかし、できれば、高所作業車を持ち出すまでもなく、地上ないしは電柱上から高所の電線を湾曲などさせて癖付けする作業を容易に行うことができれば便利である。
【０００７】
そこで、本発明は、油圧などを利用することなく、電線との係合位置を変位させることができるようにして、高所の電線に容易に係合させて湾曲などさせることのできる軽量で安価な電線ベンダー装置を提供することを目的とする。
【課題を解決するための手段】
【０００８】
上記課題を解決する電線ベンダー装置の第１の発明は、長尺な操作棒の先端に取り付ける取付部と、該取付部に取り付けた操作棒を延長した位置に設けられるとともに、該操作棒の延長線に対して直交する方向に突出して電線の上周面または下周面の一方に係合する内係合部と、取付部に取り付けた操作棒の延長線から左右に離隔する位置に設けられるとともに、内係合部と同一方向に突出して電線の上周面または下周面の他方に係合する一対の外係合部と、内係合部または外係合部の一方と取付部の位置関係を固定するように支持する第１支持部材と、内係合部または外係合部の他方の位置関係を固定するように支持する第２支持部材と、第１支持部材および第２支持部材を連結するとともに、取付部に取り付けた操作棒の回転により内係合部または外係合部の一方を他方に対して相対的に上下動させる螺合機構と、を備えることを特徴とするものである。
【０００９】
この発明では、操作棒の延長側で電線の上周面または下周面の一方に内係合部を係合させるとともに、その内係合部の左右側で電線の上周面または下周面の他方に外係合部を係合させた後に、操作棒を回転させて螺合機構を動作させることにより、第１、第２支持部材を相対的に上下動させて内係合部と外係合部の位置関係を上下方向に離隔することができる。したがって、一対の外係合部に引っ掛かる電線の途中を内係合部に引っ掛かけて湾曲などさせることができ、一対の外係合部の離隔間隔と、その外係合部と内係合部の上下方向での離隔間隔に応じて電線を所望の程度に湾曲などさせることができる。
【００１０】
上記課題を解決する電線ベンダー装置の第２の発明は、上記第１の発明の特定事項に加え、前記第１支持部材は、上側に配置された内係合部と下側に配置された取付部とを連結するとともに、該内係合部と取付部の間の円柱形状に形成された外周面に螺合機構を構成する雄ネジが刻設される一方、前記第２支持部材は、一対の外係合部を離隔位置に位置決めしつつ連結するとともに、該外係合部の離隔方向と直交する方向に連続するように穿孔された貫通孔の内周面に螺合機構を構成する雌ネジが刻設されることを特徴とするものである。
【００１１】
この発明では、内係合部を支持する第１支持部材側の雄ネジと、外係合部を支持する第２支持部材側の雌ネジとが螺合しており、操作棒が回転してその螺合位置がずれることにより、内係合部と外係合部の位置関係が上下方向に離隔する。したがって、操作棒の回転に応じて、戻ることがないように雄ネジと雌ネジの螺合位置をずらすことができ、直接力を加えて内係合部と外係合部を上下にずらすよりも小さな力で大きく離隔させて電線を湾曲などさせることができる。このとき、外係合部の第２支持部材は、その外係合部が電線の離隔する２箇所に係合しているので、操作棒からの回転で第１支持部材と共に回転してしまうことはない。
【００１２】
上記課題を解決する電線ベンダー装置の第３の発明は、上記第２の発明の特定事項に加え、前記第１支持部材の取付部は、操作棒が相対回転不能に取り付けられる一方、内係合部を支持する支持部は、雄ネジが刻設されているネジ部に対して同軸に相対回転可能に連結支持されていることを特徴とするものである。
【００１３】
この発明では、操作棒を連結する第１支持部材の取付部に対してネジ部が相対回転してしまうことなく、その操作棒の回転を伝達してそのネジ部の雄ネジを第２支持部材の雌ネジに対して回転させることができ、電線に係合する内係合部は、そのネジ部に対して相対回転して電線から外れてしまうことを回避することができる。ここで、内係合部を回転方向に延在する円盤形状に形成して、回転しても係合状態を維持するようにしても良いが、相対回転可能とすることにより、内係合部が電線に摺接して被覆を劣化させてしまうことを回避することができる。したがって、電線を劣化させずに、その電線に確実に係合して湾曲などさせることができる。
【００１４】
上記課題を解決する電線ベンダー装置の第４の発明は、上記第２または第３の発明の特定事項に加え、前記第２支持部材は、一対の外係合部の取付位置を変更可能に構成されていることを特徴とするものである。
【００１５】
この発明では、電線を湾曲などさせる程度に応じて、内係合部の外側で電線に係合する外係合部の位置を変更してその間隔を調整することができる。したがって、湾曲などさせる大きさや角度に応じた電線ベンダー装置を多種揃えることなく、その外係合部の間隔を調整するだけで対応することができる。
【００１６】
上記課題を解決する電線ベンダー装置の第５の発明は、上記第１から第４のいずれかの発明の特定事項に加え、前記内係合部または外係合部の一方あるいは双方は、電線を内装可能な間隔で上下に離隔する一対の突出部材により構成されていることを特徴とするものである。
【００１７】
この発明では、突出部材が電線の上下を挟むように係合させることができる。したがって、内係合部や外係合部が上下に相対移動する方向に関係なく、電線にその突出部材を係合させることができる。
【００１８】
上記課題を解決する電線ベンダー装置の第６の発明は、上記第１から第５の発明の特定事項に加え、前記内係合部または外係合部の一方あるいは双方は、先端が係合する電線側に突出する形状に作製されていることを特徴とするものである。
【００１９】
この発明では、内係合部や外係合部の先端が電線側に突出してその電線に係合する。したがって、内係合部や外係合部が上下方向に相対移動して離隔することにより電線に力が加わったときに、その電線が外れて逃げてしまうことなく、その係合状態を維持することができる。
【００２０】
上記課題を解決する電線ベンダー装置の第７の発明は、上記第１から第６のいずれかの発明の特定事項に加え、前記内係合部は、係合する電線の延在方向に延長されて該電線の外周方向に湾曲する板状材料により作製されていることを特徴とするものである。
【００２１】
この発明では、内係合部の板状材料が電線の上周面をその長手方向に沿うように包んで係合することができる。したがって、内係合部が電線の延在方向に対して回転してしまうことを制限することができ、外係合部を容易に電線に係合させることができる。
【発明の効果】
【００２２】
本発明によれば、操作棒を持って電線に内係合部と外係合部を係合可能にした後に、その操作棒を回転させるだけで、外係合部の間の電線を内係合部の上下方向への相対移動により湾曲などさせることができ、この内係合部と外係合部の上下動は螺合機構により実現できる。したがって、油圧装置などを利用する必要のない軽量な電線ベンダーで電線を容易に湾曲などさせることができ、電柱などの高所に設置されている電線でも容易に引っ掛けて所望の程度だけ湾曲などさせることができる。
【発明を実施するための最良の形態】
【００２３】
以下、本発明の最良の実施形態を図面に基づいて説明する。図１〜図４は本発明に係る電線ベンダー装置の一実施形態を示す図である。
【００２４】
図１において、電線ベンダー装置１０は、概略Ｉ字形状に形成された第１支持部材１１と、概略逆三角形に形成された第２支持部材２１とを備えて、後述する汎用の長尺な絶縁操作棒３０の先端に取り付けて使用するものである。
【００２５】
第１支持部材１１は、円柱形状に形成されて外周面に雄ネジ１２ａが刻設されている棒状の長尺部１２と、この長尺部１２の上部に同軸回転可能に連結された短尺部１３と、長尺部１２の下部に回転不能に固設されて絶縁操作棒３０の先端を取り付けるジョイント（取付部）１４と、を備えている。
【００２６】
長尺部１２は、図２に示すように、短尺部１３と連結する端部側が雄ネジ１２ａの形成されていない円柱形状に形成されており、その端部には、円周方向に連続する円周溝１２ｂが刻設されている。短尺部１３は、外形が角柱形状に形成されているとともに、長尺部１２と連結する端部側には、長尺部１２の円柱形状の端部を挿入可能な有底の円筒形状の連結孔１３ｂが穿孔されており、この連結孔１３ｂを画成する壁面部には、その円周溝１２ｂに対応するとともに、軸を中心とする対称の位置に埋め込みネジ１５を螺合させることのできる雌ネジ１３ｃが刻設されている。これにより、第１支持部材１１は、長尺部１２の端部を短尺部１３の連結孔１３ｂ内に挿入した後に、その短尺部１３の雌ネジ１３ｃに埋め込みネジ１５を螺合させて長尺部１２端部の円周溝１２ｂ内に進入させることよって、その長尺部１２の端部に短尺部１３を引抜不能かつ同軸回転可能に連結することができる。
【００２７】
また、この短尺部１３には、電線径ｄよりも長いピン（突出部材）１６の取付孔１３ａが前面の延在方向の上下に隣接するとともに、その電線径ｄよりも広く離隔する位置に穿孔されており、この取付孔１３ａには、ピン１６の基端部の雄ネジに螺合させることのできる雌ネジが刻設されている。これにより、短尺部１３の前面には、一対のピン１６を直交する方向に立設させる状態に取り付けて、そのピン１６の間に電線を位置させることができる。
【００２８】
すなわち、第１支持部材１１の短尺部１３のピン１６が、電線を内装可能に離隔して、その上周面または下周面に係合する内係合部を構成しており、その短尺部１３がピン１６を支持する支持部を構成している。
【００２９】
ジョイント１４は、長尺部１２の後端面側が開口する有底の円筒形状に形成されており、その長尺部１２の延在方向から絶縁操作棒３０の先端部を差し込んで取り付けることができる。また、このジョイント１４の周面部には、絶縁操作棒３０側に向かって切り欠かれた切欠部１４ａと、この切欠部１４ａに連続して直交方向に屈曲する切欠部１４ｂとが一対形成されており、絶縁操作棒３０のピン３１をその切欠部１４ａから切欠部１４ｂ内の奥まで進入させて引っ掛けることにより引抜不能（脱落不能）に取り付けることができる。
【００３０】
絶縁操作棒３０は、図３に示すように、ジョイント１４の切欠部１４ａ、１４ｂに係合させるピン３１と、作業員が把持する基端部側の把持部３２と、中間部分に取り付けられている傘カバー３３、３４と、を備えており、全体をプラスチックなどの絶縁材料で作製されて絶縁性が確保されている。
【００３１】
ピン３１は、絶縁操作棒３０の先端部側面に一対立設されており、互いに反対側で突起形状に固定されることにより、ジョイント１４の２箇所の切欠部１４ａ、１４ｂ内に進入して係合することができる。把持部３２は、滑りにくい材質の取替え可能な滑り止が施されている。傘カバー３３、３４は、中間部分における先端側と基端側の２箇所に配設されており、先端側の傘カバー３３が第１支持部材１１（電線ベンダー装置１０）側からの水分を滴下させるとともに、基端側の傘カバー３４が安全に作業を行い得る限界位置を示して、作業する際の安全を確保している。
【００３２】
ここで、絶縁操作棒３０は、先端部の突起３５を内蔵スプリングの弾性力に抗して沈ませつつ、ピン３１の双方をジョイント１４の切欠部１４ａ、１４ｂ内に進入させて回転させた後に、その進入させる力を解放すると、突起３５がスプリングの弾性力により突出してジョイント１４を押し出すことにより、その切欠部１４ｂから屈曲する係合溝１４ｃ内にピン３１を離脱不能に係合させることができる。また、この絶縁操作棒３０は、中心部に刻設するネジ形状に螺合するグリップ３６を回転させてジョイント１４側に寄せることにより、ピン３１が係合溝１４ｃ内から離脱して回転しないようにロックすることができ、第１支持部材１１（電線ベンダー装置１０）が相対回転して外れてしまうことを信頼性高く防止しつつ、その絶縁操作棒３０を取り扱うことができる。
【００３３】
一方、第２支持部材２１は、逆三角形の最下部の頂部２２が円筒形状に形成されてその貫通孔の内周面に、第１支持部材１１の長尺部１２の雄ネジ１２ａに螺合させる雌ネジ２２ａが刻設されている。また、この第２支持部材２１の逆三角形の上辺部２３には、第１支持部材１１の短尺部１３と同様にピン１６を螺合させることのできる一対の取付孔２３ａが両端部からの均等間隔の４箇所に刻設されている。ここで、このピン１６を取り付ける取付孔２３ａの設定箇所は、均等間隔の４箇所に限るものではないことはいうまでもなく、電線に癖を付けるために湾曲させる大きさなどに応じて任意の間隔や箇所に設定すればよい。
【００３４】
すなわち、第２支持部材２１の上辺部２３のピン１６が、第１支持部材１１の短尺部１３のピン１６（内係合部）と同様に同一方向に突出して、電線を内装可能に離隔することにより、その上周面または下周面に係合する外係合部を構成しており、その取付孔２３ａが、ピン１６の取付位置を変更することによりその離隔間隔を調整可能に複数箇所に設定されている。また、この第１、第２支持部材１１、２１は、長尺部１２の雄ネジ１２ａと頂部２２の雌ネジ２２ａを螺合させることにより、短尺部１３のピン１６や上辺部２３のピン１６と長尺部１２下部のジョイント１４（絶縁操作棒３０）との位置関係を位置決め固定することができ、上辺部２３の回転を制限しつつそのジョイント１４（絶縁操作棒３０）を回転させることによりその螺合位置を変更して短尺部１３のピン１６を上辺部２３のピン１６に対して相対的に上下動させることができる。
【００３５】
この第２支持部材２１は、頂部２２の雌ネジ２２ａに、第１支持部材１１の長尺部１２の雄ネジ１２ａを螺合させて組み立てたときに、その短尺部１３の頭部が上辺部２３の中央部２３ｂに当接して衝止されてしまわないように、その上辺部２３の中央部２３ｂは、ピン１６の背面側の短尺部１３（第１支持部材１１）の角型外面に沿うように、コの字に迂回する形状に形成されている。
【００３６】
これにより、電線ベンダー装置１０を先端に取り付けた絶縁操作棒３０の把持部３２を把持して、図８〜図１１に示す電柱１００などの高所に設置されている電線Ｄを第１、第２支持部材１１、２１に取り付けたピン１６の間に差し込んだ状態で、その絶縁操作棒３０を回転させると、その回転方向に応じて第１、第２支持部材１１、２１の雄ネジ１２ａと雌ネジ２２ａの螺合位置がずれて相対的に上下動する。したがって、例えば、第１支持部材１１が第２支持部材２１に対して降下すると、図４に示すように、第２支持部材２１の離隔する左右下側のピン１６が電線Ｄの下周面に当接して支持するとともに、第１支持部材１１のピン１６がその間の電線Ｄの上周面に当接して支持しつつ降下する。この場合には、第２支持部材２１の左右のピン１６を電線Ｄの離隔箇所に引っ掛けた状態で、その間に引っ掛けた第１支持部材１１のピン１６を引き下げて（変位させて）、電線Ｄを下方に湾曲させることができる。
【００３７】
このとき、第１支持部材１１は、長尺部１２が下端側のジョイント１４に取り付けられた絶縁操作棒３０と一体回転するのに対して、その長尺部１２の上端側に短尺部１３が相対回転自在に取り付けられているとともに、その長尺部１２の雄ネジ１２ａに第２支持部材２１の雌ネジ２２ａが螺合して取り付けられている。このため、短尺部１３や第２支持部材２１は、長尺部１２と一体回転しないにしても、長尺部１２に連結されている絶縁操作棒３０の回転に連れ回ろうとする。
【００３８】
しかしながら、その短尺部１３は、角柱形状前面の平面を電線Ｄに押し付けつつ上下動させることができ、その前面に立設されているピン１６が電線Ｄから外れてしまうことなく引っ掛けた状態を維持することができる。また、第２支持部材２１は、上辺部２３を電線Ｄに押し付けることができ、その前面に立設されているピン１６が電線Ｄから外れてしまうことなく引っ掛けた状態を維持することができる。
【００３９】
また、第１、第２支持部材１１、２１は、雄ネジ１２ａと雌ネジ２２ａが螺合して互いの位置関係を維持しているので、湾曲される電線Ｄからの反力がピン１６に加えられて絶縁操作棒３０が反対方向に回転されてしまうことがなく、小さな力で徐々にその絶縁操作棒３０を回転させて所望の癖が付くように電線Ｄを湾曲させることができる。
【００４０】
ここで、第２支持部材２１のピン１６は、電線Ｄに癖を付けるための湾曲の大きさに応じて、上辺部２３の取付孔２３ａに取り付ける位置を変更することにより間隔を調整することができ、複数種の部材を準備する必要がない。
【００４１】
また、第１、第２支持部材１１、２１のピン１６は、上下一対になるように取り付けていることから、絶縁操作棒３０を正逆方向に回転させることにより、その間に位置させた電線Ｄを上下のいずれの方向にも湾曲させることができる。さらに、このピン１６は、取付孔１３ａ、２３ａに螺合させて取り付けているだけなの、第１、第２支持部材１１、２１の一方または双方を、電線Ｄの上周面または下周面に当接させる下側または上側のみにすることもでき、この場合には、そのピン１６の上下方向の間隔を大きく離隔させて電線Ｄを容易に位置させることができる。
【００４２】
このように本実施形態においては、第１、第２支持部材１１、２１を雄ネジ１２ａと雌ネジ２２ａの螺合機構により上下動させることのできる電線ベンダー装置１０を絶縁操作棒３０に取り付けて、その第１、第２支持部材１１、２１のピン１６を高所の電線Ｄに引っ掛けた状態でその絶縁操作棒３０を回転させるだけで、その電線Ｄに引っ掛けたピン１６を上下動させることができ、電線Ｄを容易に湾曲させることができる。したがって、油圧装置などを必要とすることなく、また、高所作業用のバケットなどに乗らずに、高所の電線Ｄを軽量で安価な電線ベンダー装置１０により地上から容易に湾曲などさせて所望の癖を付けることができる。
【００４３】
本実施形態の第１の他の態様としては、本実施形態のピン１６に代えて、図５に示すピン４６を第１支持部材１１の短尺部１３や第２支持部材２１の上辺部２３に形成されている取付孔１３ａ、２３ａに螺合させて取り付けるようにしてもよい。このピン４６は、先端側が短尺部１３や上辺部２３に対面する上下方向に突出するＴ字形状に形成されているとともに、その基端側は円錐形状に形成されている。このように構成することにより、このピン４６は、先端側の突起部４６ａで電線Ｄが外れようとするのを衝止して引っ掛ける状態を維持することができ、また、その電線Ｄを引っ掛けて湾曲させる方向に上下動する際の負荷を基端側の円錐部４６ｂで受けることによりその基端側が折れ曲がるなど変形してしまうことを回避することができる。
【００４４】
また、本実施形態の第２の他の態様としては、本実施形態のピン１６に代えて、図６に示すピン５６を第１支持部材１１の短尺部１３や第２支持部材２１の上辺部２３に形成されている取付孔１３ａ、２３ａに螺合させて取り付けるようにしてもよい。このピン５６は、先端側が間に位置させる電線Ｄ側に向かって湾曲する形状に形成されているとともに、その基端側は大径に形成されている。このように構成することにより、このピン５６は、引っ掛ける電線Ｄをその湾曲形状部５６ａで受けて移動しようとするのを制限して引っ掛ける状態を維持することができ、また、その電線Ｄを引っ掛けて湾曲させる方向に上下動する際の負荷を基端側の大径部５６ｂで受けることによりその基端側が折れ曲がるなど変形してしまうことを回避することができる。
【００４５】
本実施形態の第３の他の態様としては、本実施形態のピン１６に代えて、図７に示すピン６６を第１支持部材１１の短尺部１３に形成されている取付孔１３ａに螺合させて取り付けるようにしてもよい。このピン６６は、電線Ｄの延在方向に延長されているとともにその電線Ｄの外周面に沿うように湾曲する湾曲板６７が固設されており、その基端側は円錐形状に形成されている。このように構成することにより、このピン６６は、電線Ｄの上周面側または下周面側を湾曲板６７により包むように支持して引っ掛けることができ、絶縁操作棒３０の回転に連れ回ろうとするのを、電線Ｄ自体により制限して外れてしまうことなく引っ掛けた状態を維持することができる。また、このピン６６は、その電線Ｄを引っ掛けて湾曲させる方向に上下動する際の負荷を基端側の円錐部６６ｂで受けることによりその基端側が折れ曲がるなど変形してしまうことを回避することができる。
【産業上の利用可能性】
【００４６】
これまで本発明の一実施形態について説明したが、本発明は上述の実施形態に限定されず、その技術的思想の範囲内において種々異なる形態にて実施されてよいことは言うまでもない。例えば、上述実施形態においては、地上から高所の電線Ｄを湾曲などさせて所望の癖を付ける場合を説明するが、上述実施形態に係る電線ベンダー装置１０は、軽量であるため、電柱に登って作業することもできることはいうまでもない。
【図面の簡単な説明】
【００４７】
【図１】本発明に係る電線ベンダー装置の一実施形態を示す図であり、（ａ）はその全体構成を示す一部断面立面図、（ｂ）はその要部構成を示す上面図である。
【図２】その構成部材の要部構成を示す一部断面立面図である。
【図３】その電線ベンダー装置を取り付ける操作棒の一例を示す立面図である。
【図４】その電線ベンダー装置の使用を説明する状態図である。
【図５】その第１の他の態様の要部構成を示す側面図である。
【図６】その第２の他の態様の要部構成を示す側面図である。
【図７】その第３の他の態様の要部構成を示す図であり、（ａ）はその側面図、（ｂ）はその上面図である。
【図８】その電線ベンダー装置を使用する電線を説明する立面図である。
【図９】その電線ベンダー装置を使用する電線を説明する平面図である。
【図１０】その電線ベンダー装置を使用する電線を説明する立面図である。
【図１１】その電線ベンダー装置を使用する電線を説明する平面図である。
【図１２】その電線を設置する際に使用する部品を示す立面図である。
【符号の説明】
【００４８】
１０    電線ベンダー装置
１１    第１支持部材
１２    長尺部
１２ａ    雄ネジ
１２ｂ    円周溝
１３    短尺部
１３ａ、２３ａ    取付孔
１３ｂ    連結孔
１４    ジョイント
１４ａ、１４ｂ    係合部
１４ｃ    係合溝
１６、４６、５６、６６    ピン
２１    支持部材
２２    頂部
２２ａ    雌ネジ
２３    上辺部
３０    絶縁操作棒
３１    ピン
４６ａ    突起部
４６ｂ、６６ｂ    円錐部
５６ａ    湾曲形状部
５６ｂ    大径部
６７    湾曲板
Ｄ    電線
【図１】
2006129610.tif 000003
【図２】
2006129610.tif 000004
【図３】
2006129610.tif 000005
【図４】
2006129610.tif 000006
【図５】
2006129610.tif 000007
【図６】
2006129610.tif 000008
【図７】
2006129610.tif 000009
【図８】
2006129610.tif 000010
【図９】
2006129610.tif 000011
【図１０】
2006129610.tif 000012
【図１１】
2006129610.tif 000013
【図１２】
2006129610.tif 000014